(57)【要約】【課題】簡易な構成により足裏を広範囲に心地よく揉みほぐすことができる足裏マッサージ器を提供する。【解決手段】足裏マッサージ器１は、複数の球体５からなる球体セットに挿通され各球体５を回動自在に軸支する棒状の支持軸９を複数備え、かつ、当該複数の支持軸９を両端で支持する一対の支持板部１３及び１４を備えており、当該複数の支持軸９は、平面視において各支持軸９の長手方向と直交する方向に並設されており、支持板部１３及び１４の各々における複数の支持軸９の支持位置は、平面視の並び順における中央の支持軸から両端の支持軸に向かって両端下がりに円弧状又は直線状に配置されている。【選択図】図１
2018029926.tif 000002
【特許請求の範囲】
【請求項１】
複数の球体からなる球体セットに挿通され各球体を回動自在に軸支する棒状の支持軸を複数備え、かつ、
前記複数の支持軸を両端で支持する一対の支持板部、
を備えており、
前記複数の支持軸は、平面視において各支持軸の長手方向と直交する方向に並設されており、
前記各支持板部における前記複数の支持軸の支持位置は、平面視の並び順における中央の支持軸から両端の支持軸に向かって両端下がりに円弧状又は直線状に配置されている、
足裏マッサージ器。
【請求項２】
前記複数の支持軸と前記一対の支持板部との組合せをそれぞれ有する右足置部及び左足置部を備えており、
前記右足置部及び前記左足置部の各々の前記一対の支持板部は、外側支持板部と内側支持板部とで形成されており、
前記右足置部及び前記左足置部の各々の前記複数の支持軸は、前記内側支持板部から前記外側支持板部に向かって下方に傾斜している、
請求項１に記載の足裏マッサージ器。
【請求項３】
前記内側支持板部における前記中央の支持軸の支持位置と前記両端の支持軸の支持位置との間を結ぶ線分のなす角度は、前記外側支持板部における該線分のなす角度よりも小さい、
請求項２に記載の足裏マッサージ器。
【請求項４】
前記右足置部及び前記左足置部はそれぞれ、
前記外側支持板部及び前記内側支持板部が方形状の上面よりも高く立設されている底板部、
を備えて、別体形成されており、
前記右足置部及び前記左足置部の前記底板部どうしが、前記内側支持板部が立設されている側の角部で回動可能に連結されている、
請求項２又は３に記載の足裏マッサージ器。
【請求項５】
前記複数の支持軸の各々は、前記球体セットの各球体の貫通孔に挿通されており、該球体間又は該球体と前記支持板部との間に隙間を形成可能な長さを持つ、
請求項１から４のいずれか一項に記載の足裏マッサージ器。
【請求項６】
前記複数の支持軸で軸支される複数の球体の少なくとも一部の前記貫通孔は、球体の中心を通らず該中心からずれた球体内位置を通る、
請求項５に記載の足裏マッサージ器。
【請求項７】
前記球体セットの各球体は、ゴルフボールに前記支持軸の直径より所定サイズ大きい直径の穿設具で貫通孔を穿設することにより形成される、
請求項１から５のいずれか一項に記載の足裏マッサージ器。
【発明の詳細な説明】
【技術分野】
【０００１】
本発明は、ユーザ自身が足を動かすことで足裏を刺激する足裏マッサージ器に関する。
【背景技術】
【０００２】
足裏のマッサージにより足裏のツボを刺激することにより、臓器や器官の働きを活性化させることができ、冷え症や腰痛の解消、疲労回復などの効果があることが知られている。
下記特許文献１には、外周面が凹凸に形成されたマッサージ体をその外周面が床面に接する状態で床面を転動自在に支持軸に支持させるとともに、その支持軸に柄を取り付けた足裏マッサージ器が開示されている。この足裏マッサージ器によれば、椅子などに腰掛けた楽な姿勢で効果的な施療行為を行うことができる。
【先行技術文献】
【特許文献】
【０００３】
【特許文献１】特開２００６−２１２２５０号公報
【発明の概要】
【発明が解決しようとする課題】
【０００４】
上述の足裏マッサージ器は、簡易な構成を採用しているため、安価に製造することができる。しかしながら、その足裏マッサージ器では、一時に刺激される箇所は局所的であり、足裏を広範囲にマッサージするためには、ユーザは、自らの足を大きく動かす必要があるなど改善の余地を残している。
【０００５】
本発明は、このような事情に鑑みてなされたものであり、簡易な構成により足裏を広範囲に心地よく揉みほぐすことができる足裏マッサージ器を提供する。
【課題を解決するための手段】
【０００６】
本発明は、上述した課題を解決するために、以下の構成を採用する。
本発明に係る足裏マッサージ器は、複数の球体からなる球体セットに挿通され各球体を回動自在に軸支する棒状の支持軸を複数備え、かつ、当該複数の支持軸を両端で支持する一対の支持板部、を備えており、当該複数の支持軸は、平面視において各支持軸の長手方向と直交する方向に並設されており、各支持板部における当該複数の支持軸の支持位置は、平面視の並び順における中央の支持軸から両端の支持軸に向かって両端下がりに円弧状又は直線状に配置されている。
ここで、一対の支持板部の各々は、支持軸を支持していれば、一つの部材で実現されていなくてもよく、或る一部材の局所部分であってもよい。
【発明の効果】
【０００７】
本発明によれば、簡易な構成により足裏を広範囲に心地よく揉みほぐすことができる足裏マッサージ器を提供することができる。
【図面の簡単な説明】
【０００８】
【図１】本実施形態に係るマッサージ器の斜視図である。
【図２】本実施形態に係るマッサージ器の平面図である。
【図３】本実施形態に係るマッサージ器の正面図である。
【図４】外側支持板部及び内側支持板部における支持軸の支持位置を示す図である。
【図５】本実施形態に係るマッサージ器の開いた状態の平面図である。
【図６】第一変形例におけるマッサージ器の斜視図である。
【図７】第二変形例におけるマッサージ器の平面図である。
【発明を実施するための形態】
【０００９】
以下、本発明の実施の形態について説明する。なお、以下に挙げる実施形態は例示であり、本発明は以下の実施形態の構成に限定されない。
【００１０】
本実施形態に係る足裏マッサージ器（以降、マッサージ器と略称する場合もある）について、図１、図２、及び図３を用いて説明する。
図１は、本実施形態に係るマッサージ器１の斜視図であり、図２は、本実施形態に係るマッサージ器１の平面図であり、図３は、本実施形態に係るマッサージ器１の正面図である。
図１から図３に示されるように、マッサージ器１は、複数の球体５を回動自在な状態で有しており、球体５上に置かれた足裏に対して球体５で刺激を与えてマッサージを行う。ユーザは、例えば、椅子に座った状態でマッサージ器１を利用して足裏をマッサージすることができる。
【００１１】
以下の説明では、このような使用態様に基づいて、各方向を指し示すこととする。具体的には、足裏を置く（当てる）側を上面と表記し、その逆側を底面と表記し、底面から上面の方向を上方向、上面から底面の方向を下方向と表記する。更に、図２における紙面上方を後方又は背面方向と、紙面下方を前方又は正面方向と表記し、図２における紙面左右方向をそのまま左右方向と表記するものとする。但し、このように設定した各方向は、マッサージ器１の使用態様を限定するものではない。例えば、水平面に対して傾斜している面にマッサージ器１を置いて使用する場合には、本明細書で表記する上下は重力方向の上下とは一致しない。また、マッサージ器１は、鉛直面に対してその底面が当接した状態で固定されて利用されてもよいし、正面と背面とを逆にして利用されてもよい。
【００１２】
マッサージ器１は、右足置部７（Ｒ）及び左足置部７（Ｌ）を備えており、本実施形態では、右足置部７（Ｒ）及び左足置部７（Ｌ）はそれぞれ別体形成されている。ユーザは、右足置部７（Ｒ）の上面に露出している球体５上に自身の右足裏を置き、左足置部７（Ｌ）の上面に露出している球体５上に自身の左足裏を置いて、足裏マッサージを行う。
右足置部７（Ｒ）及び左足置部７（Ｌ）はそれぞれ、底板部１０（Ｒ）又は１０（Ｌ）、一対の支持板部（１３（Ｒ）と１４（Ｒ）のペア又は１３（Ｌ）と１４（Ｌ）のペア）、複数の球体列１７（Ｒ）又は１７（Ｌ）を有している。このように、右足置部７（Ｒ）と左足置部７（Ｌ）とはほとんど同じ構成を有しているため、以下では、両者を区別する必要がある場合を除き、（Ｒ）及び（Ｌ）を除外した符号を用いて、各構成要素について説明する。
【００１３】
球体列１７は、複数の球体５からなる球体セットの列であり、棒状の支持軸９が各球体５を挿通し、各球体５を回動自在に軸支することで形成されている。本実施形態では、４つの球体５が支持軸９により挿通され回動自在に軸支されることで、球体列１７が形成されている。
また、右足置部７（Ｒ）及び左足置部７（Ｌ）では、同数の球体列１７が平面視において各支持軸９の長手方向と直交する方向に並設されている。言い換えれば、複数の支持軸９が平面視において各支持軸９の長手方向と直交する方向（以降、半径方向と表記する場合もある）に並設されている。本実施形態では、右足置部７（Ｒ）及び左足置部７（Ｌ）にはそれぞれ５列の球体列１７（Ｒ）又は１７（Ｌ）が平面視で前後方向に並設されている。
【００１４】
ここで、球体５は、その表面（外周面）に凹部又は凸部のいずれか一方又はその両方が複数設けられた球状体であることが望ましい。これは、凹部又は凸部により足裏の揉み解し効果を増強させることができるからである。また、球体５は、楕円体又は扁球体であってもよい。
本実施形態では、球体５にはゴルフボールが利用される。これにより、ディンプルが設けられた外周面により足裏に適度な刺激を付与することができる。なお、図１などでは、図を見やすくするために、右足置部７（Ｒ）及び左足置部７（Ｌ）の各々において一つの球体５の表面のみにディンプルが図示されており、その他の球体５の表面形状については図示していない。
また、本実施形態では、球体５は、ゴルフボールに支持軸９の直径より所定サイズ大きい直径の穿設具で貫通孔を穿設することにより形成される。例えば、支持軸９の直径より２ｍｍ程度大きい直径の穿設具が用いられる。ゴルフボールは、合成ゴムや合成樹脂などで形成されているところ、その素材の弾性力により穿設した孔が収縮したとしても、ゴルフボールを回動自在に支持軸９で軸支することができる。なお、球体５に使用済みゴルフボールを利用すれば、資源の有効活用に繋がる。
【００１５】
棒状の支持軸９は、足裏マッサージをする際に掛かる負荷に耐えられる程度の曲げ強度を有する棒状体であればよい。例えば、マッサージ器１が椅子に座った状態で利用されることを想定している場合には、脚全体の荷重に耐えられる曲げ強度があればよい。支持軸９の素材及び断面形状はこのような曲げ強度を有するように決められれば良い。例えば、支持軸９として、直径５ｍｍのステンレス製の中実丸棒が利用される。他の例として、直径１０ｍｍの竹製の棒が利用される。
【００１６】
また、本実施形態では、各球体５にはその中心を通る貫通孔がそれぞれ穿設されており、支持軸９は、各球体５の貫通孔に挿通されている。更に、本実施形態では、支持軸９の半径方向断面形状は円形状であり、各球体５の貫通孔は、支持軸９の直径と同じ又は若干大きい直径の円形状を有する。これにより、各球体５は、支持軸９を軸に滑らかに回動可能となり、効率的にユーザの足裏を刺激することができる。
【００１７】
但し、各球体５が個々に支持軸９に基づいて回動自在となれば、支持軸９の半径方向断面形状及び各球体５の貫通孔の形状は制限されない。例えば、球体５の貫通孔の形状が正方形であり、支持軸９の半径方向断面形状がその貫通孔の一辺の長さ以下の直径を持つ円形状であってもよい。また、球体５の貫通孔の形状が円形状であり、支持軸９の半径方向断面形状がその貫通孔の直径の長さ以下の長さの対角線を持つ長方形であってもよい。
また、マッサージ器１が有する全ての球体５の中の少なくとも一部の球体５の貫通孔は、球体５の中心を通らずその中心からずれた球体内位置を通るよう形成されていてもよい。このようにすれば、その球体５は、回動に伴い上下動するため、足裏に付与する刺激に強弱をつけることができ、マッサージ効果を増強することができる。
【００１８】
一対の支持板部１３及び１４は、球体列１７をそれぞれ軸支する複数の支持軸９をその両端で支持する。本実施形態における一対の支持板部１３及び１４は、後述の底板部１０の上面に立設された板状部材であり、対向する各主面は、各支持軸９の長手方向と直交する方向（前後方向）に長く、上方向に緩やかなアーチ形状を有する。
一対の支持部材１３及び１４は、その対向面で複数の支持軸９を挟持する。但し、支持板部１３及び１４における支持軸９の支持構造は限定されない。例えば、支持板部１３及び１４の対向面には嵌合孔が穿設されており、この嵌合孔に支持軸９の端を嵌合することにより、支持板部１３及び１４は支持軸９を支持することができる。また、支持板部１３及び１４の対向面には係止構造が突設されており、その係止構造に支持軸９を係止し下支えさせることで、支持軸９が支持されてもよい。
【００１９】
このような一対の支持板部１３及び１４で支持される各支持軸９は、球体５間、又は、球体５と支持板部１３若しくは１４との間に隙間を形成可能な長さを有することが好ましい。図２によれば、球体５と支持板部１４との間に隙間が形成されている。このような隙間により球体列１７の各球体５が回動し易くなり、足裏へのマッサージ効果を増強させることができる。その隙間は、大き過ぎると、足裏に当接する球体５の数が減ることになり、マッサージ効果が低減する。よって、各支持軸９の長さは、各球体５の回動が促進されつつ、球体５の密度が疎になり過ぎない程度の隙間ができるように設定されることが好ましい。
【００２０】
ところで、右足置部７（Ｒ）及び左足置部７（Ｌ）は、複数の球体５からなる球体セットをそれぞれ軸支する複数の支持軸９と、それら支持軸９を両端で支持する一対の支持板部１３及び１４との組合せをそれぞれ有している。そして、マッサージ器１全体から見た場合、支持板部１３（Ｒ）及び１３（Ｌ）は、支持板部１４（Ｒ）及び１４（Ｌ）に対して外側に配置されており、逆に、支持板部１４（Ｒ）及び１４（Ｌ）は、支持板部１３（Ｒ）及び１３（Ｌ）に対して内側に配置されている。よって、右足置部７（Ｒ）及び左足置部７（Ｌ）の一対の支持板部１３及び１４は、外側支持板部１３及び内側支持板部１４と表記することができる。
【００２１】
本実施形態では、図３に示されるように、各球体列１７は、内側支持板部１４から外側支持板部１３に向かってそれぞれ下方に傾斜している。言い換えれば、各球体列１７を形成する各支持軸９は、内側支持板部１４から外側支持板部１３に向かってそれぞれ下方に傾斜した状態で、内側支持板部１４及び外側支持板部１３により支持されている。これにより、各球体列１７の傾斜が足裏の幅方向の起伏、即ち内側の土踏まずから外側に向かう起伏に適合し、足裏を幅方向でその起伏に沿って適切に揉み解すことができる。
【００２２】
図４は、外側支持板部１３及び内側支持板部１４における支持軸９の支持位置を示す図である。図４には、外側支持板部１３及び内側支持板部１４の各対向面がそれぞれ示されており、支持軸９の支持位置として支持軸９の嵌合孔が示されている。
内側支持板部１４において、嵌合孔２０＿１は、平面視（図２参照）の支持軸９の並び順における中央の支持軸９の嵌合孔であり、嵌合孔２０＿４及び２０＿５は、当該並び順における両端（正面端及び背面端）の支持軸９の嵌合孔であり、嵌合孔２０＿２及び２０＿３は、それらの中間の支持軸９の嵌合孔である。
外側支持板部１３において、嵌合孔２１＿１は、平面視（図２参照）の支持軸９の並び順における中央の支持軸９の嵌合孔であり、嵌合孔２１＿４及び２１＿５は、当該並び順における両端（正面端及び背面端）の支持軸９の嵌合孔であり、嵌合孔２１＿２及び２１＿３は、それらの中間の支持軸９の嵌合孔である。
【００２３】
図４に示されるように、各支持板部１３及び１４において、中央の嵌合孔２０＿１及び２１＿１が最も高い位置に設けられており、両端の嵌合孔２０＿４及び２０＿５並びに両端の嵌合孔２１＿４及び２１＿５が最も低い位置に設けられている。更に、本実施形態では、各支持板部１３及び１４において、各嵌合孔は、中央の嵌合孔２０＿１及び２１＿１を頂点にして、略円弧状に配置されている。
即ち、各支持板部１３及び１４における各支持軸９の支持位置は、平面視の並び順における中央の支持軸９から両端の支持軸９に向かって両端下がりに円弧状に配置されている。このように、各外側支持板部１３及び１４における各球体列１７が、平面視における中央の球体列１７から前方端及び後方端の球体列１７へかけて下方に円弧状に傾斜するよう設けられている。これにより、球体列１７間の傾斜が足裏の長さ方向の起伏、即ち足先から踵に向かう起伏に適合し、足裏を長さ方向でその起伏に沿って適切に揉み解すことができる。
このような効果は、多少低減する可能性はあるが、各支持軸９の支持位置が円弧状でなく直線状に配置されていても奏され得る。即ち、各支持板部１３及び１４における各支持軸９の支持位置は、平面視の並び順における中央の支持軸９から両端の支持軸９に向かって両端下がりに直線状に配置されていてもよい。
【００２４】
また、図４に示されるように、内側支持板部１４における中央の嵌合孔２０＿１と両端の嵌合孔２０＿４及び２０＿５との間を結ぶ線分のなす角度が、外側支持板部１３における中央の嵌合孔２１＿１と両端の嵌合孔２１＿４及び２１＿５との間を結ぶ線部のなす角度よりも小さく（鋭角に）なっている。即ち、内側支持板部１４における中央の支持軸９の支持位置と両端の支持軸９の支持位置との間を結ぶ線分のなす角度は、外側支持板部１３における当該線分のなす角度よりも小さくなっている。これにより、右足置部７（Ｒ）及び左足置部７（Ｌ）の各々において、球体列１７間の傾斜が内側のほうが外側よりもきつくなっている。これは、右足裏及び左足裏の各々における内側の土踏まずの凹形状と外側の内側よりもなだらかな起伏に適合しているため、本実施形態によれば、足裏の起伏に沿って全体を適切に揉み解すことができる。
【００２５】
このような一対の支持板部１３及び１４は、底板部１０の方形状の上面より高く立設されている。即ち、右足置部７（Ｒ）は、外側支持板部１３（Ｒ）及び内側支持板部１４（Ｒ）が立設されている底板部１０（Ｒ）を有し、左足置部７（Ｌ）は、外側支持板部１３（Ｌ）及び内側支持板部１４（Ｌ）が立設されている底板部１０（Ｌ）を有する。
底板部１０は、方形状の上面及び下面を主面とする板状部材であり、マッサージ器１の土台をなす。本実施形態では、底板部１０の上面及び下面は角丸の長方形状を有し、上面の二つの長辺に沿って外側支持板部１３及び内側支持板部１４が立設されている。
【００２６】
また、外側支持板部１３及び内側支持板部１４の背面端（後端）が底板部１０の上面の背面側（後ろ側）の短辺上に配置されている。一方で、内側支持板部１４の正面端（前端）は、底板部１０の上面の正面側（前側）の短辺よりは背面側（後ろ側）に配置されている。即ち、少なくとも底板部１０の上面の内側前方の角部には内側支持板部１４は存在していない。
そして、その角部には、底板部１０（Ｒ）と底板部１０（Ｌ）とを回動可能に連結する連結部１９が設けられている。即ち、本実施形態では、右足置部７（Ｒ）及び左足置部７（Ｌ）の底板部１０（Ｒ）及び１０（Ｌ）どうしが、内側支持板部１４が立設されている側の角部で回動可能に連結されている。
【００２７】
図５は、本実施形態に係るマッサージ器１の開いた状態の平面図である。図５に示されるように、本実施形態では、底板部１０（Ｒ）の上面の前方内側の角と底板部１０（Ｌ）の上面の前方内側の角とに連結部１９が設けられている。本実施形態の連結部１９は、プレート金具３０と、３対のボルト（３１、３２、及び３３）及びナット（図示せず）とにより実現されている。
プレート金具３０には、３つのボルト挿通孔が開けられており、底板部１０（Ｌ）の上面の前方内側の角部には、２つのボルト挿通孔が開けられており、底板部１０（Ｒ）の上面の前方内側の角部には、１つのボルト挿通孔が開けられている。プレート金具３０の２つのボルト挿通孔及び底板部１０（Ｌ）の２つのボルト挿通孔に２つのボルト３２及び３３が挿通され、底板部１０（Ｌ）の底面側からそれぞれナットと螺合することで、プレート金具３０と底板部１０（Ｌ）とは固定されている。一方で、プレート金具３０の残りの一つのボルト挿通孔及び底板部１０（Ｒ）の一つのボルト挿通孔にボルト３１が挿通され、底板部１０（Ｒ）の底面側からナットと螺合することで、底板部１０（Ｒ）がそのボルト３１により底板部１０（Ｌ）及びプレート金具３０に対して回動可能に軸支されている。即ち、底板部１０（Ｒ）は、ボルト３１を軸にしてマッサージ器１の載置面上を底板部１０（Ｌ）に対して回動可能とされている。これにより、右足裏と左足裏とを足先間を拡げた逆ハの字状態でマッサージを行うことができる。
【００２８】
更に、当該ボルト及び当該ナットはゆるみを防止するために接着剤によりネジ面が固着されている。また、底板部１０（Ｒ）の回動範囲は、底板部１０（Ｌ）に対して９０度が限界となるように規制されている。この回動限界は、底板部１０（Ｒ）の前面が底板部１０（Ｌ）の内側側面に当接することにより、実現されている。
但し、連結部１９の具体的構造は、上述の例に限定されない。また、底板部１０（Ｒ）及び１０（Ｌ）どうしの回動範囲は、規制されていなくてもよいし、より広い範囲又は狭い範囲で規制されていてもよい。右足と左足との足先間を拡げてマッサージを行う際に程よい回動範囲で規制されるようにすればよい。
【００２９】
本実施形態では、底板部１０（Ｒ）及び１０（Ｌ）、並びに二対の支持板部（１３（Ｒ）と１４（Ｒ）、１３（Ｌ）と１４（Ｌ））は、木材により形成されている。しかしながら、それらの材質は限定されず、例えば、支持板部１３及び１４は、樹脂材などのような、足裏マッサージをする際に掛かる負荷に耐えて複数の支持軸９を支持可能な材質により形成されればよい。
【００３０】
更に、マッサージ器１は、図１等に示されるように、持ち運び用把手２５を更に備えている。本実施形態では、持ち運び用把手２５は、連結部１９が設けられている前方内側から最寄りの各支持軸９の球体５と内側支持板部１４との間に、右足置部７（Ｒ）及び左足置部７（Ｌ）に亘って掛けられ環状に結ばれた紐により形成されている。この持ち運び用把手２５によれば、持ち運び時に、右足置部７（Ｒ）及び左足置部７（Ｌ）を閉じた状態で固定して容易に持ち運ぶことができる。
【００３１】
［変形例］
本実施形態におけるマッサージ器１は、上述のような構成に限定されない。例えば、本実施形態におけるマッサージ器１は、底板部１０や持ち運び用把手２５を備えなくてもよく、右足置部７（Ｒ）及び左足置部７（Ｌ）に区分けされていなくてもよく、連結部１９を備えなくてもよい。
例えば、マッサージ器１は、複数の球体５からなる球体セット（球体列１７）に挿通され各球体５を回動自在に軸支する棒状の支持軸９を複数備え、かつ、当該複数の支持軸９を両端で支持する一対の支持板部１３及び１４を備えており、当該複数の支持軸９は、平面視において各支持軸９の長手方向と直交する方向に並設されており、支持板部１３及び１４の各々における複数の支持軸９の支持位置は、平面視の並び順における中央の支持軸から両端の支持軸に向かって両端下がりに円弧状又は直線状に配置されていればよい。
このとき、支持板部１３及び１４の各々は、支持軸９を支持する構成要素であれば、一つの部材で実現されていなくてもよく、或る一部材の局所部分で実現されていてもよい。
この構成があれば、足裏の長さ方向（足先と踵とをつなぐ方向）の起伏に各支持軸９で軸支される球体セット（球体列１７）間の上面の起伏が適合するため、足裏の起伏に沿って適切にマッサージを行うことができる。また、この構成は、電力などを利用しないため、簡易な構成により足裏を広範囲に心地よく揉みほぐすことができるマッサージ器１を実現することができる。
【００３２】
また、外側支持板部１３及び内側支持板部１４並びに底板部１０の形状や位置関係も上述の例に限定されない。外側支持板部１３及び内側支持板部１４は、底板部１０の上面に立設されておらず、底板部１０の上面よりも高く立設されていればよい。例えば、外側支持板部１３及び内側支持板部１４は、底板部１０の側面に固定されていてもよい。また、底板部１０と外側支持板部１３及び内側支持板部１４とは一体形成されていてもよい。
【００３３】
図６は、第一変形例におけるマッサージ器１の斜視図である。上述の実施形態では、右足置部７（Ｒ）及び左足置部７（Ｌ）の各々において支持軸９（球体列１７）が５つずつ並設されていたが、支持軸９及び球体列１７の並設される数は、図６に示されるように、３つずつであってもよい。更に、上述の実施形態では、各支持軸９により４つの球体５がそれぞれ軸支されていたが、図６に示されるように、各３つの球体５がそれぞれ軸支されていてもよい。
このように、各支持軸９に軸支される球体５の数は、対象となるユーザの足裏の幅より長くなるように決められ、支持軸９及び球体列１７の並設数は、対象となるユーザの土踏まずの長さよりも長くなるように決められることが望ましい。
第一変形例によれば、マッサージ器１のサイズをコンパクトにすることができると共に、或る程度の広さで足裏をマッサージすることができる。
【００３４】
図７は、第二変形例におけるマッサージ器１の平面図である。上述の実施形態では、右足置部７（Ｒ）と左足置部７（Ｌ）とが別体形成されていたが、図７に示されるように、両者は、一体形成されていてもよい。第二変形例におけるマッサージ器１は、一枚の底板部１０と、底板部１０の上面に立設されている３つの支持板部１３（Ｒ）、１３（Ｌ）及び１４とを有する。第二変形例では、内側支持板部１４が右足置部７（Ｒ）及び左足置部７（Ｌ）にて共有されている。即ち、第二変形例では、外側支持板部１３（Ｌ）と内側支持板部１４の外側支持板部１３（Ｌ）側の部分が左足置部７（Ｌ）の支持軸９を支持し、外側支持板部１３（Ｒ）と内側支持板部１４の外側支持板部１３（Ｒ）側の部分が右足置部７（Ｒ）の支持軸９を支持する。
第二変形例では、一つの底板部１０で実現されているため、連結部１９は不要となる。
この第二変形例においても、上述のとおり、外側支持板部１３（Ｒ）及び外側支持板部１３（Ｌ）並びに内側支持板部１４の各々における複数の支持軸９の支持位置は、平面視の並び順における中央の支持軸から両端の支持軸に向かって両端下がりに円弧状又は直線状に配置されていればよい。このような構成を有していれば、簡易な構成により足裏を広範囲に心地よく揉みほぐすことができる。
【符号の説明】
【００３５】
１  足裏マッサージ器（マッサージ器）
５  球体、
７、７（Ｒ）、７（Ｌ）  左足置部
９  支持軸
１０、１０（Ｒ）、１０（Ｌ）  底板部
１３、１３（Ｒ）、１３（Ｌ）  外側支持板部
１４、１４（Ｒ）、１４（Ｌ）  内側支持板部
１７  球体列
１９  連結部
２０＿１、２０＿２、２０＿３、２０＿４、２０＿５、２１＿１、２１＿２、２１＿３、２１＿４、２１＿５  嵌合孔
２５  持ち運び用把手
３０  プレート金具
３１、３２、３３  ボルト
【図１】
2018029926.tif 000003
【図２】
2018029926.tif 000004
【図３】
2018029926.tif 000005
【図４】
2018029926.tif 000006
【図５】
2018029926.tif 000007
【図６】
2018029926.tif 000008
【図７】
2018029926.tif 000009
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
方形状の上面を持つ底板部と、複数の球体からなる球体セットにそれぞれ挿通され各球体を回動自在にそれぞれ軸支する複数の棒状の支持軸と、該底板部の該上面よりも高く立設されており該複数の支持軸を両端で支持する一対の外側支持板部及び内側支持板部と、をそれぞれ有し、別体形成されている右足置部及び左足置部、
を備えており、
前記複数の支持軸は、平面視において、前記右足置部及び前記左足置部の各々において、各支持軸の半径方向に並設されており、
前記右足置部及び前記左足置部の各々における前記内側支持板部における前記複数の支持軸の支持位置は、平面視の並び順における中央の支持軸から両端の支持軸に向かって両端下がりに配置されており、
前記右足置部及び前記左足置部の前記底板部どうしが、前記内側支持板部が立設されている側の角部で回動可能に連結されている、
足裏マッサージ器。
【請求項２】
前記右足置部及び前記左足置部の各々の前記複数の支持軸は、前記内側支持板部から前記外側支持板部に向かって下方に傾斜している、
請求項１に記載の足裏マッサージ器。
【請求項３】
前記内側支持板部における前記中央の支持軸の支持位置と前記両端の支持軸の支持位置との間を結ぶ線分のなす角度は、前記外側支持板部における該線分のなす角度よりも小さい、
請求項１又は２に記載の足裏マッサージ器。
【手続補正２】
【補正対象書類名】明細書
【補正対象項目名】０００６
【補正方法】変更
【補正の内容】
【０００６】
本発明は、上述した課題を解決するために、以下の構成を採用する。
本発明に係る足裏マッサージ器は、方形状の上面を持つ底板部と、複数の球体からなる球体セットにそれぞれ挿通され各球体を回動自在にそれぞれ軸支する複数の棒状の支持軸と、かつ、該底板部の該上面よりも高く立設されており該複数の支持軸を両端で支持する一対の外側支持板部及び内側支持板部と、をそれぞれ有し、別体形成されている右足置部及び左足置部を備えており、当該複数の支持軸は、平面視において、前記右足置部及び前記左足置部の各々において、各支持軸の半径方向に並設されており、前記右足置部及び前記左足置部の各々における当該内側支持板部における当該複数の支持軸の支持位置は、平面視の並び順における中央の支持軸から両端の支持軸に向かって両端下がりに配置されており、当該右足置部及び当該左足置部の底板部どうしが、内側支持板部が立設されている側の角部で回動可能に連結されている。
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
方形状の上面を持つ底板部と、複数の球体からなる球体セットにそれぞれ挿通され各球体を回動自在にそれぞれ軸支する複数の棒状の支持軸と、該底板部の該上面よりも高く立設されており該複数の支持軸を両端で支持する一対の外側支持板部及び内側支持板部と、をそれぞれ有し、別体形成されている右足置部及び左足置部、
を備えており、
前記複数の支持軸は、平面視において、前記右足置部及び前記左足置部の各々において、各支持軸の半径方向に並設されており、
前記右足置部及び前記左足置部の各々における前記外側支持板部及び前記内側支持板部における前記複数の支持軸の支持位置は、平面視の並び順における中央の支持軸から両端の支持軸に向かって両端下がりに配置されており、
前記右足置部及び前記左足置部の前記底板部どうしが、前記内側支持板部が立設されている側の角部で回動可能に連結されている、
足裏マッサージ器。
【請求項２】
前記右足置部及び前記左足置部の各々の前記複数の支持軸は、前記内側支持板部から前記外側支持板部に向かって下方に傾斜している、
請求項１に記載の足裏マッサージ器。
【請求項３】
前記内側支持板部における前記中央の支持軸の支持位置と前記両端の支持軸の支持位置との間を結ぶ線分のなす角度は、前記外側支持板部における該線分のなす角度よりも小さい、
請求項１又は２に記載の足裏マッサージ器。
【手続補正２】
【補正対象書類名】明細書
【補正対象項目名】０００６
【補正方法】変更
【補正の内容】
【０００６】
本発明は、上述した課題を解決するために、以下の構成を採用する。
本発明に係る足裏マッサージ器は、方形状の上面を持つ底板部と、複数の球体からなる球体セットにそれぞれ挿通され各球体を回動自在にそれぞれ軸支する複数の棒状の支持軸と、かつ、該底板部の該上面よりも高く立設されており該複数の支持軸を両端で支持する一対の外側支持板部及び内側支持板部と、をそれぞれ有し、別体形成されている右足置部及び左足置部を備えており、当該複数の支持軸は、平面視において、前記右足置部及び前記左足置部の各々において、各支持軸の半径方向に並設されており、前記右足置部及び前記左足置部の各々における当該外側支持板部及び当該内側支持板部における当該複数の支持軸の支持位置は、平面視の並び順における中央の支持軸から両端の支持軸に向かって両端下がりに配置されており、当該右足置部及び当該左足置部の底板部どうしが、内側支持板部が立設されている側の角部で回動可能に連結されている。